(57)【要約】【課題】必要量だけを簡単に注出することができる計量機能を備えたスパウト付きパウチ容器を提供する。【解決手段】本体室１０Ａ及びこの本体室１０Ａの上部から分岐した分岐室１０Ｂを有する扁平状態に折り畳み可能なパウチ１０と、このパウチ１０における本体室１０Ａの上縁に装着されたスパウト２０とから構成されている。パウチ１０の背面側を形成している外装シート１２は、上部を下方側に折り返した第１の外装シート１２ａと、下部が外装シート１２ａの折り返し部に重ね合わされる第２の外装シート１２ｂとに分割されており、両者の重ね合わせ部分における両側縁及び先端縁がヒートシールされることで分岐室１０Ｂが形成されている。パウチ１０は、充填された液体内容物が本体室１０Ａと分岐室１０Ｂとの間を流通することができるように、分岐室１０Ｂの基端部から立ち上がって、本体室１０Ａの上部を前後に区画する隔壁シート１４を備えている。【選択図】        図２
2009255958.tif 000002
【特許請求の範囲】
【請求項１】
パウチにスパウトが装着されたスパウト付きパウチ容器であって、
前記パウチは、内容物が収容される本体室と、
前記本体室の上部から分岐した分岐室とを備え、
前記スパウトは、前記パウチにおける前記本体室の上縁または前記分岐室の端縁に装着されており、
前記パウチは、充填された内容物が前記本体室と前記分岐室との間を流通することができるように、前記分岐室の基端部から立ち上がって、前記本体室の上部を区画する隔壁部を備えており、
前記隔壁部は、前記分岐室を持ち上げたときに、前記本体室における前記分岐室の基端部よりも下側部分と上側部分との間を、略閉鎖するようになっていることを特徴とするスパウト付きパウチ容器。
【発明の詳細な説明】
【技術分野】
【０００１】
この発明は、収容した液体内容物を計量して取り出すことができるスパウト付きパウチ容器に関する。
【背景技術】
【０００２】
シャンプーや液体洗剤等の液体商品、液体飲料、医薬や栄養剤等の液状医療用薬品等の液体内容物を充填する容器としては、例えば、図１１に示すように、合成樹脂シート（フィルムも含む概念である）によって形成されたパウチ５０にスクリューキャップ６１によって開閉可能な注出口となるスパウト６０が装着されたスパウト付きパウチ容器がある。このスパウト付きパウチ容器は、同図に示すように、内容物が充填されるパウチ５０が、袋状の本体室５１と、この本体室５１の上部から分岐した先細状の分岐室５２とから構成されており、スパウト６０は、パウチ５０における分岐室５２の先端縁に装着されている。
【０００３】
従って、このスパウト付きパウチ容器の場合は、スパウトがパウチの上縁に装着されているスパウト付きパウチ容器のように、内容物を注出する際に、容器全体を傾ける必要がなく、先端が下方側を向いている分岐室５２のスパウト６０を移し替えようとする容器等の口部に位置させた状態で、本体室５１を押圧するだけで簡単に注出することができる。
【０００４】
【特許文献１】特開平１０−２１８１９９号公報
【発明の開示】
【発明が解決しようとする課題】
【０００５】
しかしながら、こういったスパウト付きパウチ容器では、充填される内容物が濃縮された液体であり、これを希釈して使用するような場合や医療用薬品等のように１回の使用量を厳守して摂取しなければならない場合、一旦計量カップ等に注出して計量した後に、これを別の容器に移し替えて用いる必要があるので、計量作業が繁雑であるといった問題がある。
【０００６】
また、上述した従来のスパウト付きパウチ容器においても、スクリューキャップ６１を閉めた状態であれば、パウチ５０の分岐室５２内に所定量の内容物を貯めることが可能とも思われるが、パウチ５０は合成樹脂シートによって形成されているため容易に変形するので、実際には、スパウト６０の開放作業や内容物の注出作業の際に分岐室５２を多少なりとも動かした場合に、貯めた内容物が本体室５１側に逆流して正確な量を注出することができないといった問題もある。
【０００７】
さらに、従来のスパウト付きパウチ容器の場合、分岐室５２に貯留することができる液体内容物しか計量することができないので、計量注出量を大きくしようとすると、分岐室５２自体を大きくしなければならず、パウチ５０の製造コストが高くなるといった問題もある。
【０００８】
そこで、この発明の課題は、必要量だけを簡単かつ正確に注出することができる計量機能を備えたスパウト付きパウチ容器を提供することにある。
【課題を解決するための手段】
【０００９】
上記の課題を解決するため、本発明は、パウチにスパウトが装着されたスパウト付きパウチ容器であって、前記パウチは、内容物が収容される本体室と、前記本体室の上部から分岐した分岐室とを備え、前記スパウトは、前記パウチにおける前記本体室の上縁または前記分岐室の端縁に装着されており、前記パウチは、充填された内容物が前記本体室と前記分岐室との間を流通することができるように、前記分岐室の基端部から立ち上がって、前記本体室の上部を区画する隔壁部を備えており、前記隔壁部は、前記分岐室を持ち上げたときに、前記本体室における前記分岐室の基端部よりも下側部分と上側部分との間を、略閉鎖するようになっていることを特徴とするスパウト付きパウチ容器を提供するものである。
【発明の効果】
【００１０】
以上のように、本発明のスパウト付きパウチ容器は、充填された内容物が本体室と分岐室との間を流通することができるように、分岐室の基端部から立ち上がって、本体室の上部を区画する隔壁部を備えているので、本体室を押圧することにより、本体室内の内容物を分岐室に送り込むことができる。
【００１１】
また、隔壁部は、分岐室を持ち上げたときに、本体室における分岐室の基端部よりも下側部分と上側部分との間を、略閉鎖するようになっているので、所定量の内容物を本体室から分岐室に送り込んだ後、分岐室を持ち上げることで、本体室における分岐室の基端部よりも下側部分と上側部分との間を、隔壁部によって略閉鎖すると、分岐室に貯留された所定量の内容物が、本体室に逆流することがなく、スパウトから確実に注出することができる。
【発明を実施するための最良の形態】
【００１２】
以下、実施の形態について図面を参照して説明する。図１〜図３に示すスパウト付きパウチ容器１は、シャンプーや液体洗剤等の液体商品、液体飲料、医薬や栄養剤等の液状医療用薬品等の液体内容物を充填するものであり、合成樹脂シートによって形成された、内容物が充填される本体室１０Ａ及びこの本体室１０Ａの上部から分岐した分岐室１０Ｂを有する扁平状態に折り畳み可能なパウチ１０と、このパウチ１０における本体室１０Ａの上縁に装着された熱接着性樹脂からなるスパウト２０とから構成されている。ここで、かかる合成樹脂シートは通常公知のものを広く適用でき、特に限定されるものではないが、例えば、ポリエチレンやポリプロピレン等からなる熱接着性を有するシーラントフィルムの外面に、アルミニウム等の金属薄膜またはポリ塩化ビニリデン、エチレン−酢酸ビニル共重合体ケン化物、延伸ポリアミド系樹脂等のガスバリア性フィルム等を積層した二軸延伸ポリエステルフィルム等をラミネートした厚さ６０〜２００μｍ程度の柔軟性シート等が挙げられる。また、スパウト２０は、パウチ１０を形成している合成樹脂シートのシーラントフィルムと同種の熱接着性樹脂から形成されるのが好ましい。
【００１３】
前記パウチ１０は、図１（ａ）、（ｂ）、図２（ａ）、（ｂ）及び図３（ａ）、（ｂ）に示すように、表裏一対の外装シート１１、１２及び両外装シート１１、１２の下部から内側に折り込まれてボトムガセット部を形成するガセットシート１３から構成されており、折り込まれたガセットシート１３の周縁部が外装シート１１、１２の下部周縁にヒートシールされると共に、外装シート１１、１２におけるガセットシート１３にヒートシールされない両側縁部同士が相互にヒートシールされることで袋状に形成されている。また、ガセットシート１３の両側縁には、二つ折りした状態で相互に一致する切欠部１３ａがそれぞれ形成されており、この切欠部１３ａを介して、外装シート１１、１２の両側縁における下端部同士が部分的にヒートシールされている。なお、図２（ａ）、（ｂ）における網掛け表示部分が、パウチ１０のヒートシール部分を示している。
【００１４】
前記スパウト２０は、図１〜図３に示すように、パウチ１０に充填された液体内容物を注出するための注出口となる口部本体２１と、この口部本体２１を開閉するスクリューキャップ２２と、口部本体２１に連設された、断面形状が舟形状または楕円形状の装着部２３とから構成されており、同図に示すように、装着部２３がパウチ１０の上縁に挟み込まれた状態でヒートシールされている。
【００１５】
前記パウチ１０の背面側を形成している外装シート１２は、上部を下方側に折り返した第１の外装シート１２ａと、下部が外装シート１２ａの折り返し部に重ね合わされる第２の外装シート１２ｂとに分割されており、両者の重ね合わせ部分における両側縁及び先端縁が相互にヒートシールされることで、分岐室１０Ｂが形成されている。
【００１６】
前記パウチ１０は、充填された液体内容物が本体室１０Ａと分岐室１０Ｂとの間を流通することができるように、分岐室１０Ｂの基端部から立ち上がって、本体室１０Ａの上部を前後に区画する隔壁部を備えており、この隔壁部は、下端縁が外装シート１２ａにおける分岐室１０Ｂ側の折り返し縁にヒートシールされると共に、両側縁が外装シート１１と外装シート１２ａ、１２ｂとの間に挟み込まれた状態でそれらの外装シート１１、１２ａ、１２ｂにヒートシールされた、両面ヒートシール性を有する合成樹シートからなる隔壁シート１４によって形成されている。この隔壁シート１４を形成する合成樹脂シートとしては、ポリエチレン、ポリプロピレン等のオレフィン系樹脂シート等が挙げられる。また、その厚みは特に限定されず適宜設定できるが、パウチ１０を押圧等で変形させたときに、その変形に追従して内容物の逆流を防ぐ必要があるため、ある程度の柔軟性が求められることから、４０〜１００μｍ程度に設定しておくことが望ましい。
【００１７】
また、分岐室１０Ｂの基端部から立ち上がった隔壁部の縦方向の長さは、計量する際に本体室１０Ａ内の液体内容物を押圧等により容易に分岐室１０Ｂに流入させると共に、分岐室１０Ｂに充満した液体内容物の逆流を防止する必要があるため、本体室１０Ａにおける分岐室１０Ｂの基端部より上側部分の縦方向の長さより１〜３ｍｍ程度短くしておくことが望ましい。
【００１８】
以下、上述したスパウト付きパウチ容器１の製造方法について、図面を参照しながら説明する。まず、図４（ａ）に示すように、外装シート１１、ガセットシート１３及び外装シート１２ａとなる長尺帯状の柔軟性シートＳ１を折り畳んだ状態で送出しながら、同図（ｂ）に示すように、隔壁シート１４となる長尺帯状の柔軟性シートＳ２を、その幅方向の外端縁が柔軟性シートＳ１における外装シート１２ａの折り返し縁に相当する部分に重ね合わせ、柔軟性シートＳ１と柔軟性シートＳ２とをその重ね合わせ部分でヒートシールしながら送出する。
【００１９】
続いて、同図（ｃ）に示すように、外装シート１２ｂとなる長尺帯状の柔軟性シートＳ３を、柔軟性シートＳ１における外装シート１２ａの折り返し部分に重ね合わせた状態で送出しながら、ガセットシート１３となる部分の周縁と外装シート１１、１２ａとなる部分とを順次ヒートシールすると共に、分岐室１０Ｂを形成する外装シート１２ａ、１２ｂの先端縁同士をヒートシールする。
【００２０】
その後、柔軟性シートＳ１、Ｓ２、Ｓ３の送出方向に隣接する、上流側の外装シート１１、１２ａ部分における一方の側縁と下流側の外装シート１１、１２ａ部分における他方の側縁とをヒートシールすると共に、隔壁シート１４となる柔軟性シートＳ２が挟み込まれた上流側の外装シート１１、１２ｂ部分における一方の側縁と下流側の外装シート１１、１２ｂ部分における他方の側縁とをヒートシールする。
【００２１】
このようにして、それぞれの外装シート１１、１２ａ、１２ｂとなる部分について、ヒートシールが完了すると、同図（ｄ）に示すように、所定形状に打ち抜かれ、外装シート１２ｂの上縁と外装シート１１の上縁とがヒートシールされていないパウチ１０が出来上がる。
【００２２】
最後に、未シールの上縁を開いてスパウト２０の装着部２３を挿入した後、スパウト２０の装着部２３をパウチ１０の上縁にヒートシールすると、図１〜図３に示すスパウト付きパウチ容器１が出来上がる。
【００２３】
以上のように構成されたスパウト付きパウチ容器１は、本体室１０Ａにおける外装シート１２ａの折り返し縁よりも上側の部分と分岐室１０Ｂ部分とが液体内容物の計量室になっており、充填された液体内容物をこの計量室で計量することにより、液体内容物を所定量だけ注出することができるようになっている。以下、このスパウト付きパウチ容器１に充填された液体内容物の注出方法について説明する。
【００２４】
まず、図５に示すように、本体室１０Ａ内に液体内容物を充填してスパウト２０のスクリューキャップ２２を閉じた状態で、図６に示すように、本体室１０Ａを指で押圧すると、本体室１０Ａ内の液体内容物が隔壁シート１４を越えて計量室に流入し、計量室内に液体内容物が充満する。
【００２５】
続いて、この状態で、図７に示すように、分岐室１０Ｂを持ち上げると、隔壁シート１４によって、本体室１０Ａにおける分岐室１０Ｂの基端部よりも下側部分と上側部分との間が概ね閉鎖され、即ち、計量室が概ね閉鎖され、計量室に流入した液体内容物がほとんど流出することがないので、この状態で、スパウト２０のスクリューキャップ２２を外すと、所定量の液体内容物を注出することができる。
【００２６】
以上のように、このスパウト付きパウチ容器１では、パウチ１０内に充填された液体内容物を所定量だけ簡単かつ正確に注出することができると共に、分岐室１０Ｂだけでなく、本体室１０Ａの上部を計量室として使用することができるので、分岐室１０Ｂを小さくすることができ、パウチ１０の材料コストを削減することができる。
【００２７】
なお、上述した注出方法では、本体室１０Ａにおける外装シート１２ａの折り返し縁よりも上側の部分と分岐室１０Ｂ部分とを液体内容物の計量室として使用しているが、これに限定されるものではなく、隔壁シート１４の上端より下側部分を計量室として使用することも可能であり、その場合は、液体内容物をどこまで貯留するのかを示す計量線等を表示しておく必要がある。
【００２８】
また、上述した実施形態では、隔壁部を形成している隔壁シート１４が、外装シート１２ａにおける分岐室１０Ｂ側の折り返し縁にヒートシールされているが、これに限定されるものではなく、外装シート１２ａにおける本体室１０Ａ側の折り返し縁にヒートシールされていてもよい。
【００２９】
また、上述した実施形態では、パウチ１０が３枚の柔軟性シートＳ１、Ｓ２、Ｓ３によって製袋されているが、これに限定されるものではなく、図８（ａ）に示すように、外装シート１１、ガセットシート１３、外装シート１２ａ及び外装シート１２ｂとなる柔軟性シートＳ４と隔壁シート１４となる柔軟性シートＳ５といった２枚の柔軟性シートによって形成したり、同図（ｂ）に示すように、外装シート１１、ガセットシート１３、外装シート１２ａ、外装シート１２ｂ及び隔壁シート１４をそれぞれ個別の柔軟性シートＳ６、Ｓ７、Ｓ８、Ｓ９、Ｓ１０によって形成することも可能である。ただし、上述したように、外装シート１１、ガセットシート１３、外装シート１２ａ及び外装シート１２ｂを１枚の柔軟性シートＳ４によって形成する場合、少なくとも、柔軟性シートＳ４の外装シート１２ｂとなる部分を外装シート１２ａとなる部分に折り重ねる前に、隔壁シート１４となる柔軟性シートＳ５を柔軟性シートＳ４における外装シート１２ｂとなる部分に予めヒートシールしておく必要があることは言うまでもない。
【００３０】
また、上述した実施形態では、両面シール性を有する隔壁シート１４によって隔壁部を形成しているが、これに限定されるものではなく、例えば、図９に示すように、外装シート１２ａの折り返し部分を長くして、その２枚重ねの部分を隔壁部１４ａとして使用することも可能である。この場合、外装シート１２ａは内面だけがヒートシール性を有しているので、隔壁部１４ａとなる２枚重ねの部分は、少なくとも、両サイドのヒートシール領域を接着剤等によって貼着しておく必要がある。
【００３１】
また、上述した実施形態では、パウチ１０における本体室１０Ａの上縁にスパウト２０が装着されたスパウト付きパウチ容器１について説明したが、これに限定されるものではなく、例えば、図１０（ａ）、（ｂ）に示すスパウト付きパウチ容器２のように、パウチ１０における分岐室１０Ｂの端縁にスパウト２０を装着したものであってもよい。
【００３２】
このように、分岐室１０Ｂの端縁にスパウト２０を装着した場合は、分岐室１０Ｂを持ち上げなくても、スクリューキャップ２２を外すだけで、分岐室１０Ｂ内に貯留された液体内容物を注出することができ、この場合も、隔壁部の存在により、スパウト２０の開放作業や液体内容物の注出作業の際に、分岐室１０Ｂ内に貯めた液体内容物が本体室１０Ａ内に逆流することがなく、所定量の液体内容物を正確に注出することができる。
【００３３】
また、隔壁シート１４の上端より下側部分を計量室として使用する場合は、隔壁シート１４によって計量室を閉鎖する必要はないが、上述したスパウト付きパウチ容器１のように、本体室１０Ａにおける外装シート１２ａの折り返し縁よりも上側の部分と分岐室１０Ｂ部分とを液体内容物の計量室として使用する場合は、スパウト付きパウチ容器１と同様に、計量室内に液体内容物を充満させた後、分岐室１０Ｂを持ち上げて、隔壁シート１４によって計量室を概ね閉鎖した状態で注出作業を行う必要がある。
【００３４】
また、上述した各実施形態では、ボトムガセットタイプのスパウト付きパウチ容器１、２について説明したが、これに限定されるものではなく、本発明は、ガセット部のない平袋タイプのスパウト付きパウチ容器についても適用することができることはいうまでもない。
【図面の簡単な説明】
【００３５】
【図１】（ａ）はこの発明の一実施形態であるスパウト付きパウチ容器を正面側から視た斜視図、（ｂ）は同上のスパウト付きパウチ容器を背面側から視た斜視図である。
【図２】（ａ）は同上のスパウト付きパウチ容器を示す正面図、（ｂ）は同上のスパウト付きパウチ容器を示す背面図である。
【図３】（ａ）は同上のスパウト付きパウチ容器を示す側面図、（ｂ）は同上のスパウト付きパウチ容器を示す縦断面図である。
【図４】（ａ）〜（ｄ）は同上のスパウト付きパウチ容器を構成しているパウチの製袋方法を説明するための説明図である。
【図５】同上のスパウト付きパウチ容器に充填された液体内容物を計量注出する場合の注出作業を説明するための説明図である。
【図６】同上のスパウト付きパウチ容器に充填された液体内容物を計量注出する場合の注出作業を説明するための説明図である。
【図７】同上のスパウト付きパウチ容器に充填された液体内容物を計量注出する場合の注出作業を説明するための説明図である。
【図８】（ａ）、（ｂ）は同上のパウチの他の製袋方法を説明するための説明図である。
【図９】同上のスパウト付きパウチ容器の変形例を示す断面図である。
【図１０】（ａ）は他の実施形態であるスパウト付きパウチ容器を示す正面図、（ｂ）は同上のスパウト付きパウチ容器を示す背面図である。
【図１１】従来のスパウト付きパウチ容器を示す斜視図である。
【符号の説明】
【００３６】
１、２  スパウト付きパウチ容器
１０  パウチ
１０Ａ  本体室
１０Ｂ  分岐室
１１、１２、１２ａ、１２ｂ  外装シート
１３  ガセットシート
１３ａ  切欠部
１４  隔壁シート
１４ａ  隔壁部
２０  スパウト
２１  口部本体
２２  スクリューキャップ
２３  装着部
Ｓ１〜Ｓ１０  柔軟性シート
【図１】
2009255958.tif 000003
【図２】
2009255958.tif 000004
【図３】
2009255958.tif 000005
【図４】
2009255958.tif 000006
【図５】
2009255958.tif 000007
【図６】
2009255958.tif 000008
【図７】
2009255958.tif 000009
【図８】
2009255958.tif 000010
【図９】
2009255958.tif 000011
【図１０】
2009255958.tif 000012
【図１１】
2009255958.tif 000013